(57)【要約】【課題】予期せぬ設定変更による不具合を解決する際に、原因となっている設定項目の特定を支援する新規な機能を有した通信装置を提供する。【解決手段】操作手段Ａにより設定内容が設定されたときには、少なくとも、その設定を行った日付、設定者情報のいずれかを判定し、設定項目に対応させて設定記憶手段Ｂに自動登録させる制御手段Ｃを備える。【選択図】図１
2007074661.tif 000002
【特許請求の範囲】
【請求項１】
各種設定項目の設定内容を書き換え可能な不揮発性の設定記憶手段に保存する通信装置において、
設定項目を指定した設定内容変更指令を受け付けて設定内容を変更するときには、少なくとも現在の日付を判別して、指定された設定項目に対応させて上記設定記憶手段に保存する制御手段を備える通信装置。
【請求項２】
請求項１において、
上記設定記憶手段には、設定項目毎に変更履歴を格納するエリアを設けており、
上記制御手段は、設定内容を変更するときには、変更後の設定内容と、上記日付とを上記変更履歴に追加して保存していくことを特徴とする通信装置。
【請求項３】
請求項１または２において、
上記通信装置は、上記設定内容変更指令を受け付ける操作部と、設定項目毎に設定内容と上記日付とを対応させて表示する出力手段とを更に備えていることを特徴とする通信装置。
【請求項４】
請求項１〜３にいずれかにおいて、
上記通信装置は、ネットワークインタフェースとＷＥＢサーバ機能とを更に備えており、上記設定内容変更指令を受け付ける一方、設定項目毎に設定内容と上記日付とを対応させて表示する保守用ホームページの構成ファイルを準備保存していることを特徴とする通信装置。
【発明の詳細な説明】
【技術分野】
【０００１】
本発明は、ユーザが各種設定項目の設定内容を変更できる通信装置の改良に関する。
【背景技術】
【０００２】
複合機等の通信装置は、下記特許文献１に示すように、ユーザが発信元名称データ、送信画質、読取濃度などの各種設定項目を自由に変更設定できるようになっている。そして、ファクシミリ送信の際には、設定された画質、濃度によって原稿を読み取り、設定された発信元情報を画像のヘッダーに付加して送信する。
【０００３】
このため、この種の通信装置では、設定項目毎に設定を行う操作手段や、設定された内容を登録保持する設定記憶手段を少なくとも備えており、設定の際には、予め設定項目毎に準備された設定内容を選択したり、発信元情報などユーザ固有の情報を自由に編集登録したりする構成になっている。
【特許文献１】特開平１１−２４０２２８号公報
【発明の開示】
【発明が解決しようとする課題】
【０００４】
ところで、上記したような構成では、複数の人が一台の装置を共用する際に、他人が行った設定内容の変更が直ちに分からないため、使用する都度、設定内容を確認する必要があった。このため余分な時間を費やしたり、確認を怠った場合には、予期せぬ設定内容に従って画像が形成されたりする不具合が生じていた。
【０００５】
本発明は、このような問題を解決するために提案されるものであり、特に、予期せぬ設定変更による不具合を解決する際に、原因となっている設定項目の特定を支援する新規な機能を有した通信装置の提供を目的としている。
【課題を解決するための手段】
【０００６】
上記目的を達成するため、請求項１では、操作手段により設定内容が設定されたときには、少なくとも、その設定を行った日付、設定者情報のいずれかを判定し、設定項目に対応させて設定記憶手段に自動登録させる制御手段を備える。
【０００７】
請求項２では、設定記憶手段は、設定項目毎に設定履歴を格納するエリアを設けており、制御手段は、操作手段により設定内容が設定されたときには、少なくとも、その設定日付、設定者情報のいずれかを対応させて、設定された内容を設定履歴として自動登録させることを特徴とする。
【０００８】
請求項３では、制御手段は、設定記憶手段に対して、予め指定された設定項目についてのみ、少なくとも、設定を行った日付、設定者情報のいずれかを自動登録させることを特徴とする。
【０００９】
請求項４では、制御手段は、上記設定記憶手段に対して、予め指定された設定項目についてのみ、設定履歴を自動登録させることを特徴とする。
【発明の効果】
【００１０】
本発明によれば、以下の効果を奏する。
【００１１】
ユーザによる設定変更が可能な通信装置での予期せぬ動作の不具合は、直近に変更された設定項目の設定内容を原因とする場合が大半であるが、本発明では、設定項目毎に、その設定変更した日付を自動的に登録するようにしているので、直近に変更された設定項目を容易に知ることができ、それによる不具合を迅速に解決することができる。
【００１２】
特に請求項２では、設定項目毎に設定履歴を登録するので、その履歴を参照すれば、不適切な設定項目の設定内容を容易に回復できる。
【００１３】
また、請求項３では、設定項目毎に設定内容と上記日付とを対応させて表示する出力手段とを更に備えているので、その表示から直近に変更された設定項目を容易に知ることができ、請求項４では、保守用ホームページに設定項目毎に設定内容と上記日付とを対応させて表示するので、そのホームページを閲覧するだけで、直近に変更された設定項目を容易に知ることができる。
【発明を実施するための最良の形態】
【００１４】
以下に、本発明の実施の形態について説明する。
【実施例１】
【００１５】
図１は、本発明による通信装置の要部構成の一例を示すブロック図である。
【００１６】
この通信装置１は、予め準備された設定項目毎に、所望の設定内容を登録するための操作手段Ａ、操作手段Ａにより設定された内容を登録する設定記憶手段Ｂ、操作手段Ａによる設定内容を設定記憶手段Ｂに登録する制御手段Ｃとを少なくとも備える。
【００１７】
操作手段Ａは操作部に設けられた専用キーやタッチパネル表示されたキーなどからなる。設定記憶手段Ｂは、フラッシュＲＯＭやＲＡＭなど上書き可能な不揮発性の記憶手段で構成され、発信元情報や読取画質などの設定項目毎に設定内容を登録する設定メモリと、各々の設定項目毎に、操作手段Ａによる設定内容を順次登録する設定履歴メモリとに区分されている。
【００１８】
制御手段Ｃは、操作手段Ａによって設定モードの実行指示がなされると、予め準備された設定項目毎に、設定内容を選択、または発信元情報などのユーザ固有の情報を登録させる設定モードを実行する。
【００１９】
図２は、このような通信装置１の具体的な構成例の一例を示す図である。
【００２０】
この例では、通信装置の一例としてファクシミリ装置Ｆａ（１）の構成を示しているが、これには限られず、各種設定項目の設定を登録する機能があれば、どのような通信装置であってもよい。例えば、ファクシミリ装置、スキャナ、複写機、プリンタなどの機能のうち、少なくとも２以上の機能を備えた複合機にも適用できる。
【００２１】
この図に示すように、ファクシミリ装置Ｆａ（１）は、この装置１を制御するＣＰＵ１０、電話回線Ｌに対する接続制御を行うＮＣＵ１１、ファクシミリ通信に必要な各種信号の変復調を行うモデム１２、ＲＡＭ１３、この装置１が動作するのに必要な各種プログラムを記憶するＲＯＭ１４、画像データを一時格納する画像メモリ１５、セットされた原稿を読み取り、画像データを形成するスキャナ１６、表示操作部１７、プリンタ１８、パーソナルコンピュータ等の演算処理装置を、ネットワークを介して接続するインタフェース１９を備え、ＣＰＵ１０は制御手段Ｃを、ＲＡＭ１３は設定記憶手段Ｂを、表示操作部１７は操作手段Ａをそれぞれ構成する。
【００２２】
ＲＡＭ１３では、図３に示すように、アドレス１〜Ｎが割り付けられており、アドレス１〜Ｍを割り付けて設定メモリ１３Ａを、アドレスＭ〜Ｎを割り付けて設定履歴メモリ１３Ｂをそれぞれ構成する。
【００２３】
設定メモリ１３Ａには、後述する設定モードの実行により、設定項目毎に、設定内容、日付、設定者情報が対応して登録される。一方、設定履歴メモリ１３Ｂには、後述する設定モードの実行により設定された、設定内容、日付、設定者情報が、設定項目毎に、順次追加登録される。
【００２４】
なお、設定メモリ１３Ａや設定履歴メモリ１３Ｂにおける設定値等の登録形態には限定がない。すなわち、設定内容や、設定日付、設定者情報を示すバイナリデータや文字列データを所定の順に並べた登録形態としてもよく、また、所定の体裁で設定内容を示す文字列データを配置したテキスト形式あるいはＨＴＭＬ形式の設定ファイルとして記憶する登録形態としてもよい。
【００２５】
次いで、ファクシミリ装置Ｆａ（１）の設定モードにおける処理を説明する。
【００２６】
このファクシミリ装置Ｆａ（１）は、表示操作部１７の操作により設定モードの実行する。しかし、ファクシミリ装置Ｆａ（１）がＷＥＢサーバ機能を備え、保守用ホームページを準備記憶している構成の場合には、ネットワークを介して接続しているパーソナルコンピュータで、そのホームページを開き、その設定画面上の操作により設定モードを実行するようにしてもよい。この場合には、ＣＧＩやＳＳＩ等の技術により、ホームページ上で対話的な設定変更が可能になる。
【００２７】
また、予め指定された設定項目についてのみ、少なくとも、設定を行った日付、設定者情報のいずれかを、その設定項目に関連させて自動登録する構成としてもよく、予め指定された設定項目についてのみ、設定履歴を自動登録させる構成としてもよい。
【００２８】
図４は、設定モードにおける処理手順を説明するフローチャートである。この図に示すように、ＣＰＵ１０は、設定モードの指令を受け付けると、設定モードを開始し、設定操作を受け付ける。つまり、予め準備された設定項目のうちから、ユーザが所望する設定項目に対応する設定をユーザに選択させる。この動作は公知のものである。
【００２９】
ついで、設定者情報、ここでは、ユーザＩＤの入力を促す。これが入力され確定された場合には、日時データと同様にその設定項目に関連させて設定メモリ１３Ａに登録する。
【００３０】
次に、設定操作、厳密にはいずれかの設定項目に設定内容が入力されて確定した際には、入力された内容を設定メモリ１３Ａに登録し、更に、現在の日時データを図示しない時計部から読み出して、その日時データを設定項目に関連させ設定メモリ１３Ａに登録する。日時データは、年月日の文字列データでも、特定日時からの経過時間を示すバイナリデータであってよい。
【００３１】
その後、設定された内容、つまり、設定内容、日付、設定者情報を、対応する設定項目毎に、設定履歴メモリ１３Ｂに記憶している設定変更履歴に追加する。この設定変更履歴は、設定内容ｂ、設定日付ｃ、設定者情報ｄが変更される度に、その内容を追加登録することにより維持されるが、設定履歴メモリ１３Ｂの容量は有限なので、必要に応じて、古い記憶内容から破棄する等の処理も必要である。
【００３２】
図５は、ファクシミリ装置Ｆａ（１）が出力する設定内容一覧を例示する図であり、表示操作部１７の操作により、用紙に印字出力させたものを示している。この例では、設定項目ａ毎に行が割り当てられ、設定内容ｂ、設定日付ｃ、設定者情報ｄが並んで表示されている
また、設定内容一覧は、印字出力させる外、表示操作部１７にスクロール可能な形態で部分表示させるようにしてもよい。また、ファクシミリ装置Ｆａ（１）がメンテナンス用ホームページを準備記憶している場合には、そのホームページの構成画面の１つに、設定内容一覧表を表示させてもよい。
【００３３】
図６は、設定履歴メモリ１３Ｂに記憶している設定変更履歴を例示する図であり、表示操作部１７の操作により、用紙に印字出力させたものを示している。しかしながら、設定内容一覧と同様に他の出力形態も可能であり、メンテナンスホームページの構成画面に、同様な設定変更履歴を表示するようにしてもよい。
【００３４】
図７は、設定内容一覧の別例を示している。この例では、選択可能な設定内容が全て示され、そこでは、枠で囲むことにより、現在選択されているものを示している。
【図面の簡単な説明】
【００３５】
【図１】本発明による通信装置の要部構成の一例を示すブロック図
【図２】本発明の具体的な構成の一例を示すブロック図
【図３】ＲＡＭの構成の一例を示す図
【図４】本発明の設定モード処理について説明するフローチャート
【図５】設定内容一覧を例示する図
【図６】設定変更履歴を例示する図
【図７】設定内容一覧の別例を示す図である。
【符号の説明】
【００３６】
１  通信装置
Ａ  操作手段
Ｂ  設定記憶手段
Ｃ  制御手段
【図１】
2007074661.tif 000003
【図２】
2007074661.tif 000004
【図３】
2007074661.tif 000005
【図４】
2007074661.tif 000006
【図５】
2007074661.tif 000007
【図６】
2007074661.tif 000008
【図７】
2007074661.tif 000009